(57)【特許請求の範囲】
【請求項１】
金、銀その他の貴金属片が封入されるケースであって、
透明体又は半透明体から形成され、前記貴金属片が外部から目視可能に配置される凹部と、接合部とを有する第１基体と、
前記第１基体の前記接合部と接合された被接合部と、前記第１基体と接合されない非接合部と、前記非接合部に形成され接合された前記第１基体の前記接合部と前記被接合部との分離力よりも弱い力で破断される弱断面部とを有する第２基体と、
接合された前記第１基体と前記第２基体との間に配置され、前記第１基体の前記凹部に配置される前記貴金属片を覆い、前記第１基体の前記接合部と前記第２基体の前記被接合部とに挟持されるとともに前記第２基体の前記非接合部の一部と接着され、かつ前記第２基体の前記弱断面部が破断されるときの力によって破断されるシート部材と
を備えることを特徴とする貴金属封入ケース。
【請求項２】
請求項１に記載の貴金属封入ケースにおいて、
前記シート部材は、表面凹凸パターンによる光回折画像を形成した光回折構造部材である
ことを特徴とする貴金属封入ケース。
【請求項３】
請求項２に記載の貴金属封入ケースにおいて、
前記光回折構造部材の一部の領域には、前記貴金属片に関する情報を含む情報を前記第１基体上から機械読み取り可能に記録した貴金属情報記録部が設けられている
ことを特徴とする貴金属封入ケース。
【請求項４】
請求項１〜請求項３に記載の貴金属封入ケースにおいて、
前記第１基体と前記第２基体とは、合成樹脂材料から形成され、
前記第１基体の前記接合部と前記第２基体の前記被接合部とは、溶着されている
ことを特徴とする貴金属封入ケース。
【請求項５】
請求項１〜請求項４に記載の貴金属封入ケースにおいて、
前記第１基体と嵌合する第３基体を備え、
前記第２基体は、少なくとも一部が前記第３基体と当接又は近接するように前記第１基体と前記第３基体との間に内設されている
ことを特徴とする貴金属封入ケース。
【発明の詳細な説明】
【０００１】
【発明の属する技術分野】
この発明は、金、銀その他の貴金属片が封入される貴金属封入ケースに関するものである。
【０００２】
【従来の技術】
従来のこの種の貴金属封入ケースとしては、図４に示すものが知られている。図に示すように、この貴金属封入ケース２０は、上蓋体２１と下蓋体２３とホログラムシール２４を備え、内部に金等の貴金属片Ｐが封入可能に構成されている。上蓋体２１は、透明なプラスチック等から形成される凹部２１Ｇを有し、この凹部２１Ｇに貴金属片Ｐが嵌め込み可能なように構成されている。これにより、貴金属片Ｐを貴金属封入ケース２０の外部から目視することができるようになっていた。
【０００３】
貴金属片Ｐが凹部２１Ｇに嵌め込まれた後、その裏面を押えるようにしてホログラムシール２４が貼り付けられる。ホログラムシール２４は、剥離しようとすると容易に破れる強度の脆質材料により形成された薄膜状の部材であり、ホログラムパターンが形成されたものである。ホログラムシール２４が貼り付けられた後、上蓋体２１と下蓋体２３が嵌め合わされることにより、貴金属封入ケース２０が完成する。
【０００４】
従来の貴金属封入ケース２０は、上述の構成により、たとえ貴金属封入ケース２０の上蓋体２１と下蓋体２３とを分解したとしても、ホログラムシール２４を剥離しようとするとホログラムシール２４は容易に破れるので、ホログラムシール２４の破れの有無を見れば、貴金属片Ｐの入れ替えの有無を容易に判別できるようになっていた。
【０００５】
【発明が解決しようとする課題】
しかし、前述の従来の貴金属封入ケース２０では、ホログラムシール２４は、有機溶剤等の剥離液を用いると痕跡を残さずに剥離される場合があった。この場合には、貴金属片が偽造品と入れ替えられても目視では判別できないという問題があった。また、上述した従来の貴金属封入ケース２０では、中空構造であるので、特に中央部の強度が非常に弱く、僅かな衝撃で割れてしまう、という問題もあった。
本発明の課題は、貴金属片の入れ替えを防止することにある。
【０００６】
【課題を解決するための手段】
上述の目的を達成するために、請求項１の発明は、金、銀その他の貴金属片（Ｐ）が封入されるケースであって、透明体又は半透明体から形成され、前記貴金属片が外部から目視可能に配置される凹部（１１Ｇ）と、接合部（１１Ｍ１，１１Ｍ２）とを有する第１基体（１１）と、前記第１基体の前記接合部と接合された被接合部（１２Ｇ１，１２Ｇ２）と、前記第１基体と接合されない非接合部（１２Ｆ）と、前記非接合部に形成され接合された前記第１基体の前記接合部と前記被接合部との分離力よりも弱い力で破断される弱断面部（１２Ｗ１，１２Ｗ２）とを有する第２基体（１２）と、接合された前記第１基体と前記第２基体との間に配置され、前記第１基体の前記凹部に配置される前記貴金属片を覆い、前記第１基体の前記接合部と前記第２基体の前記被接合部とに挟持されるとともに前記第２基体の前記非接合部の一部と接着され、かつ前記第２基体の前記弱断面部が破断されるときの力によって破断されるシート部材（１４）とを備えることを特徴とする。
【０００７】
請求項２の発明は、請求項１に記載の貴金属封入ケースにおいて、前記シート部材は、表面凹凸パターンによる光回折画像（１４Ｈ）を形成した光回折構造部材であることを特徴とする。
請求項３の発明は、請求項２に記載の貴金属封入ケースにおいて、前記光回折構造部材の一部の領域には、前記貴金属片に関する情報を含む情報を前記第１基体上から機械読み取り可能に記録した貴金属情報記録部（１４Ｂ）が設けられていることを特徴とする。
【０００８】
請求項４の発明は、請求項１〜請求項３に記載の貴金属封入ケースにおいて、前記第１基体と前記第２基体とは、合成樹脂材料から形成され、前記第１基体の前記接合部と前記第２基体の前記被接合部とは、溶着されていることを特徴とする。
請求項５の発明は、請求項１〜請求項４に記載の貴金属封入ケースにおいて、前記第１基体と嵌合する第３基体（１３）を備え、前記第２基体は、少なくとも一部が前記第３基体と当接又は近接するように前記第１基体と前記第３基体との間に内設されていることを特徴とする。
【０００９】
請求項１の発明においては、シート部材は、接合された第１基体と第２基体との間に配置される。第１基体と第２基体とを分離すると、第２基体の弱断面部及びシート部材が破断される。従って、仮にこの貴金属封入ケースを開け、貴金属片を入れ替えたとしてもその事実を容易に判別することができる。
【００１０】
請求項２の発明においては、シート部材は、光回折画像を有する光回折構造部材から構成される。従って、美観に優れるとともに、貴金属片の入れ替えの牽制効果を高めることができる。
請求項３の発明においては、シート部材としての光回折構造部材には、機械的に読み取られる貴金属情報記録部が設けられる。そして、貴金属封入ケースの流通過程において、この貴金属情報記録部が読み取られ、貴金属片の真偽が判別される。従って、貴金属片に関する情報を簡便に読み取ることができるとともに、この貴金属情報記録部は一般には偽造が不可能であるから、貴金属片の入れ替えを確実に防止することができる。
【００１１】
請求項４の発明においては、接合部と被接合部とは、溶着により接合される。従って、第１基体と第２基体とを確実に接合することができる。また、第１基体と第２基体とが分離されたときに、弱断面部を確実に破断させることができる。請求項５の発明においては、第３基体が設けられ、第２基体は、第３基体と当接又は近接して第１基体と第３基体との間に配置される。従って、ケースの割れを防止して、貴金属片を確実に保護することができる。
【００１２】
【発明の実施の形態】
以下、図面等を参照して、本発明の一実施形態について説明する。図１は、本発明による貴金属封入ケースの一実施形態の構成を示す図である。
図に示すように、この貴金属封入ケース１０は、第１基体である上蓋体１１と、第２基体である中敷体１２と、第３基体である下蓋体１３と、シート部材であるシール１４と、封印シール１５とを備え、内部に金地金、銀地金、プラチナ地金、金貨、銀貨、宝石加工品その他の貴金属片Ｐが封入可能に構成されている。
【００１３】
上蓋体１１は、例えばアクリル系樹脂等の合成樹脂材料から形成された略平板状部材であり、その略中央付近に透明又は半透明に形成された凹部１１Ｇを有し、この凹部１１Ｇに貴金属片Ｐが嵌め込み可能に構成されている。これにより、貴金属片Ｐを貴金属封入ケース１０の外部から目視することができるようになっている。また、上蓋体１１には、凹部１１Ｇを挟むようにして接合部である２つの凸部１１Ｍ１及び１１Ｍ２が設けられ、その外縁の４辺には枠部１１Ｒ（図３参照）が設けられている。
【００１４】
シール１４は、機械的に剥離しようとすると容易に破断する強度の脆質材料、例えば塩化ビニル等の材料により形成された薄膜状の部材であって、表面凹凸パターンによる光回折画像を形成した光回折構造１４Ｈを有するものである。
【００１５】
光回折構造１４Ｈは、２又は３次元画像を光の回折により再生可能な表面凹凸パターンである。この表面凹凸パターンとしては、物体光と参照光との光の干渉による干渉縞の光の強度分布が凹凸模様で記録されたレリーフホログラムやレリーフ回折格子が挙げられるほか、レインボーホログラム等の白色光再生ホログラム、さらに、それらの原理を利用したカラーホログラム、コンピュータホログラム、ホログラムディスプレイ、マルチプレックスホログラム、ホログラフィックステレオグラムや、ホログラム記録手段を利用したホログラフィック回折格子が挙げられ、その他、電子線描画装置等を用いて機械的に回折格子を作製することにより、計算に基づいて任意の回折光が得られるホログラムや回折格子等を挙げることもでき、これらが単一若しくは多重に記録されていてもよい。
【００１６】
図２（Ｂ）に示すように、シール１４の光回折構造１４Ｈは、ベースフィルムＬ１と、剥離層Ｌ２と、樹脂層Ｌ３と、反射層Ｌ４と、保護層Ｌ５から構成されている。
樹脂層Ｌ３を構成する材料としては、表面凹凸パターンの微小凹凸形状を付与できる合成樹脂が用いられる。この合成樹脂としては、熱可塑性合成樹脂、例えばポリ塩化ビニル、アクリル樹脂（例えばポリメチルメタクリレート等）、ポリカーボネート、若しくはポリスチレン等、又は熱硬化性合成樹脂、例えば不飽和ポリエステル、メラミン、エポキシ等が挙げられる。あるいは、上記熱可塑性合成樹脂及び熱硬化性合成樹脂を混合して使用してもよい。
【００１７】
さらに、合成樹脂としては、特に、表面凹凸パターンの微小凹凸形状を付型でき、付型後には、硬化して充分な耐久性を生じるものが好ましく、いわゆる紫外線硬化性樹脂、電子線硬化性樹脂、熱硬化、自然硬化型の反応性の樹脂等が用いられる。
上記の合成樹脂により構成される樹脂層Ｌ３は、グラビアコート法、ダイコート法、ナイフコート法、ロールコート法等の慣用のコーティング方法、及びオフセット印刷法、シルク印刷法、活版印刷法等の一般の印刷法により、厚さ０．１〜１００μｍ望ましくは０．５〜５０μｍに塗布形成される。
【００１８】
反射層Ｌ４は、光回折構造１４Ｈの画像に反射性を与えるためのものである。この反射層Ｌ４としては、第１に、反射透明性を有する反射層があげられ、その材質としては、樹脂層Ｌ３とは屈折率の異なる物質の連続薄膜や、金属薄膜等があげられる。連続薄膜の膜厚は、薄膜を形成する材料の透明領域であればよいが、通常は１００〜１００００オングストロームが好ましい。連続薄膜を樹脂層Ｌ３のレリーフ形成面に形成する方法としては、真空蒸着法、スパッタリング法、イオンブレーティング法等の薄膜形成方法があげられる。
連続薄膜は、その屈折率が樹脂層Ｌ３より大きくても小さくてもよいが、屈折率の差が０．３以上あることが好ましく、差が０．５以上さらには１．０以上あることがより好ましい。
【００１９】
樹脂層Ｌ３より屈折率が大きい連続薄膜としては、ＺｎＳ、ＴｉＯ2 、Ａｌ2 Ｏ3 等が挙げられる。一方、樹脂層Ｌ３より屈折率が小さい連続薄膜としては、ＬｉＦ、ＭｇＦ2 、ＡｌＦ3 等が挙げられる。
また、厚みが２００オングストローム以下の場合には、光の透過率がかなり小さいために透明でありながら反射層として使用しうる。
さらにまた、樹脂層Ｌ３とは屈折率の異なる透明な合成樹脂、例えばポリテトラフロロエチレン、ウポリクロロトリフロロエチレン、ポリ酢酸ビニル、ポリエチレン、ポリプロピレン、ポリメチルメタクリレートの層を反射層Ｌ４に用いることもできる。
【００２０】
また、反射層Ｌ４としては、第２に、不透明な反射層があげられ、Ａｌ、Ｃｒ、Ｎｉ、Ａｇ、Ａｕ等の金属及びその酸化物、窒化物等を単独若しくは２種以上組み合わせて用いて形成される。
反射層Ｌ４の形成方法としては、スパッタリング、イオンブレーティング、ＣＶＤ等の方法や、メッキによって形成することができ、その厚みは２００〜１０００オングストロームであることが好ましい。この不透明な反射層Ｌ４が設けられると、光回折構造１４Ｈの画像は、不透明となり銀色を呈する。
【００２１】
保護層Ｌ５は、反射層Ｌ４を保護するためのものであり、必要に応じて反射層Ｌ４上に設けられる。保護層Ｌ５を形成する材料としては、例えばメタクリル酸メチル等のアクリル系樹脂が挙げられる。
【００２２】
光回折構造１４Ｈにより再生される光回折画像は、文字、図形、記号若しくはこれらの結合、又はこれらと色彩との結合として表現される。本実施形態では、光回折画像の一部には、貴金属情報記録部であるバーコード部１４Ｂが設けられている。このバーコード部１４Ｂは、貴金属片Ｐに関する情報の一部又は全部を、上蓋体１１の外側から機械読み取り可能に記録したものである。貴金属片Ｐに関する情報は、貴金属片Ｐの種類、重量、純度、市場価格等である。
【００２３】
バーコード部１４Ｂは、図示しない複数の領域に分割され、各領域は、それぞれ異なる光の回折特性を有する（例えば、回折格子の格子ピッチや格子方向が異なる）ように形成されている。従って、バーコードリーダ等の読取装置により、バーコード部１４Ｂに所定の光が照射されると、バーコード部１４Ｂの各領域は、それぞれ特性の異なる反射回折光を出射する。なお、光回折構造１４Ｈによって表現された画像中にバーコード部１４Ｂを融合させれば、バーコード部１４Ｂが設けられていることを認識することが困難となり、偽造防止上好ましい。
【００２４】
中敷体１２は、例えばアクリル系樹脂等の合成樹脂材料から形成された略平板状部材であり、その表面の両端付近には、被接合部である溝部１２Ｇ１及び１２Ｇ２が形成されており、溝部１２Ｇ１に上蓋体１１の凸部１１Ｍ１が、溝部１２Ｇ２に上蓋体１１の凸部１１Ｍ２が、それぞれ嵌め込み可能なように構成されている。溝部１２Ｇ１と１２Ｇ２の間は、シール１４を収納可能な収納領域１２Ｆとなっている。収納領域１２Ｆは非接合部に相当している。収納領域１２Ｆ内には、ノッチ部１２Ｎ１と１２Ｎ２とが形成されている。これにより、収納領域１２Ｆは、領域１２Ｓ１，１２Ｓ２，１２Ｓ３の３つの部分に分割されている。
【００２５】
中敷体１２の裏面には、ノッチ部１２Ｎ１に対応する位置にノッチ部１２Ｎ３が形成され、ノッチ部１２Ｎ２に対応する位置にノッチ部１２Ｎ４が形成されている。ノッチ部１２Ｎ１と１２Ｎ３とで挟まれた部分と、ノッチ部１２Ｎ２と１２Ｎ４とで挟まれた部分は、断面が非常に薄肉になっており、破断され易い弱断面部１２Ｗ１，１２Ｗ２を構成している。また、中敷体１２の外縁の１辺には、略半円状の突起１２Ｍが設けられている。
【００２６】
下蓋体１３は、例えばアクリル系樹脂等の合成樹脂材料から形成された略平板状部材であり、その外縁の４辺には枠部１３Ｒ（図３参照）が設けられており、上述した上蓋体１１の枠部１１Ｒと嵌合可能に構成されている。これにより、上蓋体１１と下蓋体１３は嵌合可能となっている。
【００２７】
封印シール１５は、機械的に剥離しようとすると容易に破断する程度の強度しかない脆質材料、例えば上述したシール１４と同様な材料により形成された薄膜状の基材層（図示せず）と、基材層の一面に設けられアクリル系樹脂等の粘着剤からなり封印部分に貼付される粘着剤層（図示せず）と、基材層の他の面に設けられグラビア印刷等により特定の印刷が施された印刷層（図示せず）等を有して構成される部材である。
【００２８】
次に、上述した貴金属封入ケース１０の組立方法について、図１及び図２を参照しつつ説明する。
まず、上蓋体１１の凹部１１Ｇ内に、貴金属片Ｐが配置される。この場合には、貴金属片Ｐは、凹部１１Ｇの底面に接着等はされない。これにより、この貴金属封入ケース１０を組み立てる際の作業性が向上する。また、シール１４の裏面又はこれと対向する中敷体１２上のいずれか一方又は両方に接着剤１６を塗布し、シール１４の光回折構造１４Ｈが表面にくるようにしてシール１４を接着する。この際、中敷体１２の領域１２Ｓ１と１２Ｓ３との上にシール１４の両端部がかかるようにする。
【００２９】
次に、シール１４の光回折構造１４Ｈが上蓋体１１を通して目視可能なように向けて貴金属片Ｐの裏面をシール１４で覆うようにし、上蓋体１１の凸部１１Ｍ１と中敷体１２の溝部１２Ｇ１のいずれか一方又は両方に接着剤１７ａを塗布して嵌合させるとともに、上蓋体１１の凸部１１Ｍ２と中敷体１２の溝部１２Ｇ２のいずれか一方又は両方に接着剤１７ｂを塗布して嵌合させ、上蓋体１１と中敷体１２を接着するか、あるいは上蓋体１１の凸部１１Ｍ１，１１Ｍ２と中敷体１２の溝部１２Ｇ１，１２Ｇ２を溶着により接合する。この場合、中敷体１２の収納領域１２Ｆは上蓋体１１に接合されないようにする。これにより、シール１４は、図２（Ａ）に示すように、接合された上蓋体１１と中敷体１２との間に挟持される。
【００３０】
このように取り付けられると、上蓋体１１を通して外側からシール１４のバーコード部１４Ｂを読み取ることが可能となっている。この状態で、下蓋体１３を上蓋体１１と嵌合させる。このとき、中敷体１２は、上蓋体１１と接合されない裏面が下蓋体１３と対向するように上蓋体１１と下蓋体１３との間に配置される。このときには、中敷体１２と下蓋体１３とは、当接するか、あるいは当接せずに近接するように配置される。最後に、上蓋体１１と下蓋体１３の接合面に、封印シール１５が貼られ、これにより両者は封印される。
【００３１】
次に、完成した貴金属封入ケース１０から貴金属片Ｐを取り出す場合の作用について、図２及び図３を参照しつつ説明する。完成した貴金属封入ケース１０から貴金属片Ｐを取り出そうとする場合には、まず封印シール１５を剥離する必要がある。この場合、封印された封印シール１５を剥離しようとすると、剥離される前に封印シール１５の基材層が破壊される。従って、封印シール１５の観察により、貴金属封入ケース１０の分解の事実は、目視で容易に判別することができる。
【００３２】
次に、仮に、封印シール１５を有機溶剤等により化学的に剥離し得たとしても、貴金属片Ｐを取り出すためには、さらに上蓋体１１と下蓋体１３とを分離し、かつ中敷体１２と上蓋体１１とを分離する必要がある。図３に示すように、上蓋体１１が下になるようにした状態で、中敷体１２の半円状の突起１２ＭをコインＣ等でこじあけようとすると、中敷体１２の弱断面部１２Ｗ１，１２Ｗ２に曲げモーメントに伴う曲げ圧縮応力又は曲げ引張応力と、せん断力に伴うせん断応力のいずれか一方又は両方が作用するが、弱断面部１２Ｗ１，１２Ｗ２は極めて薄肉になっているので、中敷体１２の最弱断面となり応力集中の発生する断面となる。
【００３３】
従って、上蓋体１１と中敷体１２（上蓋体１１の凸部１１Ｍ１と中敷体１２の溝部１２Ｇ１、又は上蓋体１１の凸部１１Ｍ２と中敷体１２の溝部１２Ｇ２）とを分離させる力よりも弱い力であっても、弱断面部１２Ｗ１，１２Ｗ２のいずれか一方又は両方は破断してしまう。図３は、弱断面部１２Ｗ１，１２Ｗ２の両方が破断した状態を示しており、上蓋体１１側に中敷体１２の一部１２Ａ，１２Ｃが残り、中敷体１２の両端がちぎれて１２Ｂの状態になっている。従って、この弱断面部１２Ｗ１，１２Ｗ２の観察によっても、貴金属封入ケース１０の分解の事実は、目視で容易に判別することができる。
【００３４】
一方、上述したように、シール１４は、接合された上蓋体１１と中敷体１２との間に挟持されている。この状態で、中敷体１２が、弱断面部１２Ｗ１，１２Ｗ２のいずれか一方又は両方が破断した場合を考えると、「曲げによる破断」の場合には、シール１４の両端部は、上蓋体１１と中敷体１２との間に挟持された状態でいずれか一方へ引張られる。シール１４は、機械的に剥離しようとすると容易に破断する程度の強度しかない脆質材料で形成されているから、この引張力により容易に破断する。
【００３５】
また、弱断面部１２Ｗ１，１２Ｗ２のいずれか一方又は両方の破断が「せん断による破断」の場合には、シール１４の両端付近のノッチ部１２Ｎ１，１２Ｎ２の直上部分は、図における上下方向で互いに食い違う方向に変形する。この場合にも、シール１４は、容易に破断する。すなわち、弱断面部１２Ｗ１，１２Ｗ２が破断すると、そのときの破断力によってシール１４の両端部付近も破断するのである。従って、このシールの観察によっても、貴金属封入ケース１０の分解の事実は、目視で容易に判別することができる。
【００３６】
また、この貴金属封入ケース１０は、上蓋体１１と中敷体１２と下蓋体１３からなる３層構造となっており、従来のものに比べ１層多いが、中央部の中敷体１２の取り付けられる部分以外は中空であり、重量も従来のものと大差がない。一方、構造的な強度は、３層となった分だけ向上している。すなわち、上蓋体１１と中敷体１２及び下蓋体１３とが接合し、かつ中敷体１２と下蓋体１３とが当接しているかあるいは近接しているので、貴金属封入ケース１０の中央部に衝撃が作用しても、割れにくい構造となっている。
【００３７】
以上、本発明の一実施形態について説明したが、本発明は、上述した実施形態に限定されることなく、均等の範囲内で以下のような種々の変形が可能である。例えば、実施形態では、接合部として第１基体である上蓋体１１に２つの凸部１１Ｍ１，１１Ｍ２を設け、被接合部として第２基体である中敷体１２に２つの溝部１２Ｇ１，１２Ｇ２を設けた例について説明したが、本発明はこれには限定されず、第１基体である上蓋体１１と第２基体である中敷体１２とを接合できればよく、接合部及び被接合部の個数は何個であってもよい。
【００３８】
また、実施形態では、弱断面部として第２基体である中敷体１２に２つのノッチ部で挟まれた２つの部分１２Ｗ１，１２Ｗ２を設けた例について説明したが、本発明はこれには限定されず、第１基体である上蓋体１１と第２基体である中敷体１２の接合後に両者間の接合力よりも弱い力で破断され得る構造であればどのような構造であってもよい。例えば、実施形態とはノッチの形状が異なる構造、ノッチの個数が異なる構造、断面形状を変えずにその部分を別の材料で形成したりその部分に添加物を加えその部分の破断強度を低下させるようにした構造があげられる。弱断面部を破断させる力も曲げモーメント、せん断力に限定されず、「引張力」，「圧縮力」，「ねじりモーメント」又はこれらの合成力であってもよい。また、弱断面部の個数も何個であってもよい。
【００３９】
また、実施形態では、第２基体である中敷体１２に非接合部として領域１２Ｓ２を設け、被接合部として領域１２Ｓ１及び１２Ｓ３を設けた例について説明したが、本発明はこれには限定されず、これらの個数は何個であってもよい。
【００４０】
【発明の効果】
請求項１の発明によれば、貴金属封入ケースを開け、貴金属片を入れ替えたとしてもその事実を容易に判別することができる。
請求項２の発明によれば、美観に優れるとともに、貴金属片の入れ替えの牽制効果を高めることができる。
請求項３の発明によれば、貴金属片に関する情報を簡便に読み取ることができるとともに、偽造を困難として貴金属片の入れ替えを確実に防止することができる。
請求項４の発明によれば、第１基体と第２基体とを確実に接合することができる。また、第１基体と第２基体とが分離されたときに、弱断面部を確実に破断させることができる。
請求項５の発明によれば、ケースの割れを防止して、貴金属片を確実に保護することができる。
【図面の簡単な説明】
【図１】本発明による貴金属封入ケース１０の一実施形態の構成を示す分解斜視図である。
【図２】貴金属封入ケース１０におけるシール１４及び中敷体１２付近の構成を示す断面図である。
【図３】貴金属封入ケース１０の作用を示す斜視図である。
【図４】従来の貴金属封入ケース２０の一例の構成を示す分解斜視図である。
【符号の説明】
１０  貴金属封入ケース
１１  上蓋体
１１Ｇ  凹部
１１Ｍ１，１１Ｍ２  凸部
１１Ｒ  枠部
１２  中敷体
１２Ｆ  収納領域
１２Ｇ１，１２Ｇ２  溝部
１２Ｍ  突起
１２Ｎ１〜１２Ｎ４  ノッチ部
１２Ｓ１，１２Ｓ２，１２Ｓ３  領域
１２Ｗ１，１２Ｗ２  弱断面部
１３  下蓋体
１３Ｒ  枠部
１４  シール
１４Ｂ  バーコード部
１４Ｈ  光回折構造
１５  封印シール
１６，１７ａ，１７ｂ  接着剤層
Ｌ１  ベースフィルム
Ｌ２  剥離層
Ｌ３  樹脂層
Ｌ４  反射層
Ｌ５  保護層
Ｐ  貴金属片
【図１】
0003666516.tif 000002
【図２】
0003666516.tif 000003
【図３】
0003666516.tif 000004
【図４】
0003666516.tif 000005